【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
車両（１）下部に取り付けられたサイドスタンド（２０）の回動位置を検出するようにしたサイドスタンドスイッチ（５０）において、
前記サイドスタンドスイッチ（２０）は、前記車両（１）に固定されるベース（５１）と、前記サイドスタンド（２０）を回動自在に軸支する回動軸（４４）に係止されるロータリー（５３）とを備え、
前記ベース（５１）と前記ロータリー（５３）とは樹脂で形成されると共に、前記ベース（５１）と前記ロータリー（５３）との間には接点（７０，８５）が収容され、
前記ロータリー（５３）には、前記回動軸（４４）に嵌合する筒状部（５４）が設けられると共に、
前記ベース（５１）には、前記筒状部（５４）と嵌合する嵌合部（６０）が設けられ、
前記ロータリー（５３）と前記回動軸とは、第１係止機構（６２）によって係止され、
前記ロータリー（５３）と前記ベース（５１）とは、第２係止機構（６３）によって係止され、
前記第１係止機構（６２）は、前記筒状部（５４）の内周側に設けられると共に、前記筒状部（５４）と前記回動軸（４４）とを係止し、
前記第２係止機構（６３）は、前記筒状部（５４）の外周側に設けられると共に、前記筒状部（５４）と前記嵌合部（６０）とを係止するように構成されたことを特徴とするサイドスタンドスイッチ。
【請求項２】
前記第１係止機構（６２）および前記第２係止機構（６３）は、一方側に設けられた溝（４４ａ，５４ｃ）と他方側に設けられた凸状部（５４ａ，５８ａ）との凹凸係合であることを特徴とする請求項１に記載のサイドスタンドスイッチ。
【請求項３】
前記第１係止機構（６２）は、前記第２係止機構（６３）より軸方向内側に設けられたことを特徴とする請求項１または２に記載のサイドスタンドスイッチ。
【請求項４】
前記第１係止機構（６２）の径方向外側に、前記筒状部（５４）の拡張を許容する隙間が（６１）設けられたことを特徴とする請求項１ないし３のいずれかに記載のサイドスタンドスイッチ。
【請求項５】
前記第１係止機構（６２）は、前記回動軸（４４）の外周面に設けられた溝（４４ａ）と、前記筒状部（５４）の内周面に設けられた凸状部（５４ａ）からなることを特徴とする請求項１ないし４のいずれかに記載のサイドスタンドスイッチ。
【請求項６】
前記凸状部（５４ａ）は、周方向の少なくとも一部に設けられ、
前記サイドスタンド（２０）を、その突出位置と格納位置との間の所定位置（２０ｂ）に回動させた際に、前記凸状部（５４ａ）の径方向外側に前記筒状部（５４）の拡張を許容する前記隙間（６１）が位置するように構成されることを特徴とする請求項５に記載のサイドスタンドスイッチ。
【請求項７】
前記第２係止機構（６３）は、前記筒状部（５４）の外周面に設けられた溝（５４ｃ）と、前記嵌合部（６０）の内周面に設けられた凸状部（５８ａ）からなることを特徴とする請求項１ないし６のいずれかに記載のサイドスタンドスイッチ。
【請求項８】
前記ロータリー（５３）は、前記サイドスタンド（２０）に設けられるピボット部（２６）の側面を係止することで前記サイドスタンド（２０）とロータリー（５３）とを一体的に回動させる側方係止部（１０１，１０２）を有することを特徴とする請求項１ないし７のいずれかに記載のサイドスタンドスイッチ。
【請求項９】
前記ロータリー（５３）には、前記ピボット部（２６）に設けられたピン孔（２８）に係合する位置決めピン（５５）が設けられることを特徴とする請求項８に記載のサイドスタンドスイッチ。
【請求項１０】
前記回動軸（１０５）は、前記サイドスタンド（２０）を軸支する本体に、前記第１係止機構（６２）を構成する溝を有するボルト（１０６）を取り付けた構成とされることを特徴とする請求項１ないし９のいずれかに記載のサイドスタンドスイッチ。
【請求項１１】
車両（１）下部に取り付けられたサイドスタンド（２０）の回動位置を検出するようにしたサイドスタンドスイッチ（５０）において、
前記サイドスタンドスイッチ（５０）は、前記車両（１）に固定されるベース（５１）と、前記サイドスタンド（２０）を回動自在に軸支する回動軸（４４）に係止されるロータリー（５３）とを備え、
前記ベース（５１）と前記ロータリー（５３）とは樹脂で形成されると共に、前記ベース（５１）と前記ロータリー（５３）との間には接点（７０，８５）が収容され、
前記接点を構成する可動接点（７２，７３，７４）は、板ばねで形成されると共に、回動中心（７１ａ）に対して放射状に複数配設され、
前記接点を構成する固定接点（Ｅ，Ｆ，Ｇ）は、前記回動中心（７１ａ）からの同心円上に複数列配置されたことを特徴とするサイドスタンドスイッチ。
【手続補正２】
【補正対象書類名】明細書
【補正対象項目名】００４６
【補正方法】変更
【補正の内容】
【００４６】
図２は、前記サイドスタンドバー２０およびその近傍に配設される構成部品を示す斜視図である。前記メインフレーム４に取り付けられるブラケット２１には、前記ピボットボルト４０が嵌合する嵌合孔３０が設けられ、その近傍には、溝部２９ａを有するフックピン２９が取り付けられている。また、金属等で形成される前記サイドスタンドバー２０は、車体外側方向に屈曲された本体部２３に、略楕円形の接地板２４、フックピン２５、略コの字型のピボット部２６を取り付けた構成とされている。前記ピボット部２６には、前記ピボットボルト４０が嵌合する嵌合孔２７と、後述する位置決めピンが挿入されるピン孔２８とが形成されている。また、金属等で一体的に形成される前記ピボットボルト４０は、周方向に溝部４４ａが設けられた係合軸４４と、締め付け時に使用される６角頭部４３と、円柱状の摺動部４１と、ナット９１と螺合するネジ部４２とを有する構成とされている。
【手続補正３】
【補正対象書類名】明細書
【補正対象項目名】００６５
【補正方法】変更
【補正の内容】
【００６５】
図１４は、本発明の一実施形態の変形例に係るスイッチユニット１００およびサイドスタンドバー２０の正面図である。前記と同一の符号は、前記と同一または同等部分を示す。本変形例では、前記ベース５１の裏面側に係合されるロータリー１０３（図１５参照）に、ピボット部２６の両側面に当接する係合板１０１，１０２が設けられる点に特徴がある。なお、本変形例において、前記ロータリー１０３は、係合軸１０６と係合するように構成されている。
【手続補正４】
【補正対象書類名】明細書
【補正対象項目名】００７１
【補正方法】変更
【補正の内容】
【００７１】
図２０（ａ），（ｂ），（ｃ）は、それぞれ、前記固定接点８６と可動接点８０との接触関係を示す上面図である。前記と同一の符号は、前記と同一または同等部分を示す。図２０（ａ）は、スタンドダウン、すなわち、前記サイドスタンドバー２０を突出位置（図３参照）に回動させた状態を示している。このとき、接点の通電状態は、Ｊ−Ｉとなり、前記固定接点８６と可動接点８０とから構成されるロータリー式スイッチがオフ状態とされると共に、前記点火ユニット１１（図１参照）からの電力の供給が禁止される。また、図２０（ｂ）は、ニュートラル、すなわち、前記サイドスタンドバー２０を所定の中間位置（図３参照）に回動させた状態を示している。このとき、接点の通電状態は、Ｊ−Ｉ−Ｈとなり、相互にオン状態となる。さらに、図２０（ｃ）は、スタンドアップ、すなわち、前記サイドスタンドバー２０を格納位置（図３参照）に回動させた状態を示している。このとき、接点の通電状態は、Ｊ−Ｈとなり、前記ロータリー式スイッチがオン状態とされると共に、前記点火ユニット１１からの電力の供給が許可されることになる。上記したようなオフセット軸を有する接点構造によれば、接点接触部がオフセット作動することで、接触圧力を均等に確保しながら、大きな通電角度を確保することが可能となる。
【手続補正５】
【補正対象書類名】明細書
【補正対象項目名】００９４
【補正方法】変更
【補正の内容】
【００９４】
図３０（ａ）〜（ｃ）は、それぞれ、本発明の第２実施形態に係る固定接点１５５と可動接点１４０との接触関係を示す上面図である。前記と同一符号は、同一または同等部分を示す。本実施形態において、可動接点１４０は、接点中心１４６からの距離が等しい３つの接点部１４２，１４３，１４４を１２０°の等間隔に配置した構成とされている。一方、固定接点１７０は、円形の内側接点Ｐと、この内側接点Ｐと同心円上に配置された円弧状の外側接点Ｑ，Ｒとから構成されている。そして、可動接点１４０の回動中心は、固定接点１５５の中心点１４７と一致するように構成されている。その結果、可動接点１４０の接点中心１４６は、可動接点１４０の回動中心（中心点１４７）に対して偏心されて配設されることになる。そして、固定接点１５５の中心点１４７から内側接点Ｐまでの距離が前記Ｌ１となり、固定接点１５５の中心点１４７から外側接点Ｑ，Ｒまでの距離が前記Ｌ２となるように設定されている。